(57)【特許請求の範囲】
【請求項１】
無線端末機器（１６、３００、４００）における方法であって、前記無線端末機器は無線ネットワークの１つまたは複数のネットワークノード（１２）と通信するための複数の搬送波とともに構成可能であり、前記複数の搬送波は、第１のセルサイト（１４）に配置された前記無線ネットワークの第１のネットワークノード（１２ａ）によって運用される第１の搬送波を有し、前記方法が、
前記複数の搬送波のうちの第２の搬送波が、前記第１のネットワークノード（１２ａ）または、前記第１のセルサイト（１４）に配置された前記無線ネットワークの第２のネットワークノード（１２ｂ）によって運用されているとの判定に応答して、
前記第１の搬送波についての１つまたは複数の無線特性に関する１つまたは複数の測定値を取得する（１１４）ことと、
前記第２の搬送波によって無線メッセージを送信するために、前記１つまたは複数の測定値を利用する（１１８，１２０）ことと、
を有する方法。
【請求項２】
前記第１の搬送波がアンカー搬送波であり、前記第２の搬送波が非アンカー搬送波である、請求項１に記載の方法。
【請求項３】
１つまたは複数の測定値を取得する前記ステップ（１１４）は、前記１つまたは複数の無線特性に関する前記１つまたは複数の測定値を取得するために、前記第１の搬送波上で測定を実行することを含む、請求項１または２に記載の方法。
【請求項４】
前記１つまたは複数の無線特性が、信号強度および信号品質のうちの１つ以上を含む、請求項１から３のいずれか１項に記載の方法。
【請求項５】
前記１つまたは複数の測定値に基づいて前記第２の搬送波のカバレージレベルを決定する（１１６）ことをさらに有し、
前記第２の搬送波によって無線メッセージを送信するために、前記１つまたは複数の測定値を利用する前記ステップが、前記第２の搬送波によって無線メッセージを送信するために前記カバレージレベルを利用することを含む、
請求項１から４のいずれか１項に記載の方法。
【請求項６】
前記第２の搬送波のカバレージレベルを決定する（１１６）前記ステップが、前記１つまたは複数の測定値を、前記第２の搬送波についての前記カバレージレベルの複数の離散値のうちの１つにマッピングすることを含む、請求項５に記載の方法。
【請求項７】
カバレージレベルを決定する（１１６）前記ステップが、
前記１つまたは複数の測定値に基づいて、前記無線端末機器と前記第１のネットワークノードとの間の経路損失を求めることと、
前記求めた経路損失に基づいて、前記第２の搬送波についての前記カバレージレベルを決定することと、
を含む、請求項５に記載の方法。
【請求項８】
前記第２の搬送波によって無線メッセージを送信するために前記１つまたは複数の測定値を利用する（１１８、１２０）前記ステップが、前記１つまたは複数の測定値に基づいて、前記第２の搬送波による前記無線メッセージの送信のための無線リソースを決定する（１１８）ことを含む、請求項１から７のいずれか１項に記載の方法。
【請求項９】
前記第２の搬送波によって無線メッセージを送信するために前記第１の搬送波についての前記１つまたは複数の測定値を利用する（１１８、１２０）前記ステップが、前記第２の搬送波によって無線メッセージを送信するために、前記第２の搬送波についての１つまたは複数の測定値の代わりに前記第１の搬送波についての前記１つまたは複数の測定値を利用することを含む、請求項１から８のいずれか１項に記載の方法。
【請求項１０】
前記第２の搬送波が、前記第１のネットワークノードによって、または前記第１のセルサイトに配置された第２のネットワークノードによって運用されているかどうかを判定する（１０４）ことをさらに含む、請求項１から９のいずれか１項に記載の方法。
【請求項１１】
前記第２の搬送波が、前記第１のネットワークノードによって、または前記第１のセルサイトに配置された第２のネットワークノードによって運用されているかどうかを判定する前記ステップが、
前記第２の搬送波が前記第１のネットワークノードによって、または前記第１のセルサイトに配置された第２のネットワークノードによって運用されているかどうかを判定するために、予め定義されたポリシーを適用すること、
を含む、請求項１０に記載の方法。
【請求項１２】
前記予め定義されたポリシーは、前記無線端末機器が、前記無線端末機器の動作モードに基づいて、前記第２の搬送波が前記第１のネットワークノードまたは第２のネットワークノードによって運用されていると見なすように規定する、請求項１１に記載の方法。
【請求項１３】
前記第２の搬送波が、前記第１のネットワークノードによって、または前記第１のセルサイトに配置された第２のネットワークノードによって運用されているかどうかを判定する前記ステップが、
前記第１の搬送波および前記第２の搬送波の１つまたは複数についての構成データにアクセスすることを含み、前記構成データは、前記第２の搬送波が前記第１のネットワークノードによって運用されているか、前記第２のネットワークノードによって運用されているかを示す、
請求項１０に記載の方法。
【請求項１４】
前記構成データは、前記第１のネットワークノードおよび前記第２のネットワークノードの１つまたは複数から受信される、請求項１３に記載の方法。
【請求項１５】
前記第２の搬送波が前記第１のセルサイトに配置されていない第３のネットワークノードによって運用されているという判定に応答して、
前記第２の搬送波についての１つまたは複数の無線特性に関する１つまたは複数の測定値を取得する（１０６）ことと、
前記第２の搬送波によって前記無線メッセージを送信するために前記第２の搬送波についての１つまたは複数の測定値を利用する（１１０、１１２）ことと、
をさらに有する、請求項１から１４のいずれか１項に記載の方法。
【請求項１６】
前記第２の搬送波は、周波数閾値未満の搬送波周波数を有する、
前記第２の搬送波の搬送波周波数と前記第１の搬送波の搬送波周波数との周波数差が閾値量未満である、
前記第２の搬送波におけるフレームタイミングが、前記第１の搬送波におけるフレームタイミングに対して閾値量未満だけオフセットされる、
の条件の１つ以上に該当する、請求項１から１５のいずれか１項に記載の方法。
【請求項１７】
請求項１から１６のいずれか１項に記載の方法を実行するように構成された無線端末機器（１６、３００、４００）。
【発明の詳細な説明】
【技術分野】
【０００１】
本開示の実施形態は無線通信ネットワークにおける方法および装置に関し、特に、無線通信ネットワークにおいて搬送波を関連付けるための方法および装置に関する。
【背景技術】
【０００２】
モノの狭帯域インターネット(NB-IOT)は、Evolved UMTS(Universal Mobile Telecommunications System)Terrestrial Radio Access(E-UTRA)の後方互換性のない変形物に多く基づいた、モノのセルラーインターネット(IOT)のための無線アクセス技術である。
NB-IOTは、室内カバレージの改善、大量の低スループット装置のサポート、低遅延感度、超低装置コスト、低装置消費電力、および（最適化された）ネットワークアーキテクチャを含む様々な問題に対処することを意図している。
【０００３】
NB-IOT搬送波帯域幅(Bw2)は２００ KHzである。比較のために、LTE(Long Term Evolution)の動作帯域幅(Bw1)の例を挙げると、1.4MHz、3MHz、5MHz、10MHz、15MHz、20MHzなどである。
【０００４】
NB-IOTは、以下の配備シナリオをサポートする:
・「スタンドアロン動作」  このモードにおいてNB-IoTシステム（特に、無線端末機器と無線アクセスノードとの間の通信）が独自の専用スペクトルを利用するか、独自の専用スペクトルで動作する。したがって、このようなモードにおいてNB-IOT通信は、別のシステムの搬送波内にも、別のシステムの動作中搬送波のガードバンド内にもない任意の搬送波周波数で動作する。他のシステムは、それ自身、NB-IOTまたは他の無線アクセス技術、例えばLTEを利用することができる。例えば、専用スペクトルは、１つまたは複数のGSM（登録商標）搬送波の代わりとしてGERANシステムによって現在使用されているスペクトルを利用することができる。
・「ガードバンド動作」  このモードにおいてNB-IOTシステムは、別の無線アクセス技術を用いる搬送波のガードバンド（LTE搬送波ガードバンドなど）内の未使用リソースブロックを用いるか、未使用リソースブロックで動作する。用語「ガードバンド」は「ガード帯域幅」とも呼ばれうる。例えば、LTE帯域幅が20MHz（すなわち、Bw1=20MHzまたは１００リソースブロック）の場合、NB-IOTスペクトルはLTE帯域幅全体の２０MHzのうち、中央の１８MHzの外側のどこにでも、すなわち、LTE帯域幅の上端および下端のそれぞれ１MHz帯域の中に配置されてよい。
・「インバンド動作」  このモードにおいてNB-IoTシステムは、別の無線アクセス技術を用いる搬送波内（LTE搬送波内など）のリソースブロックを用いるか、そのようなリソースブロックで動作する。「インバンド動作」は「帯域幅内動作」とも呼ばれうる。例えば、50RBのLTE帯域幅（すなわち、Bw1=10MHzまたは50RB）において、NB-IOT帯域内動作は、50RB内の１つのリソースブロック(RB)を用いることができる。
【０００５】
NB-IOTでは、ダウンリンク(DL)伝送が、上に列挙されたすべての動作シナリオ、すなわちスタンドアロン、ガードバンド、およびインバンドに対して、15kHzの副搬送波間隔を持つ直交周波数分割多重(OFDM)と、（LTE規格のリリース13で定義されるような）レガシLTEに対するものと同じシンボルおよび周期的プレフィックス持続時間とに基づく。アップリンク(UL)送信については、（単一搬送波FDMA上の15kHz副搬送波間隔に基づく）マルチトーン送信および（3.75kHzまたは15kHz副搬送波間隔のいずれかを有する）シングルトーン送信の両方がサポートされる。
【０００６】
NB-IOTでは、アンカー搬送波および非アンカー搬送波が定義される。DLアンカー搬送波では、UEが同期信号およびシステム情報信号（例えば、狭帯域プライマリ同期信号(NPSS)、狭帯域セカンダリ同期信号(NSSS)、狭帯域物理ブロードキャストチャネル(NPBCH)、および狭帯域のためのシステム情報ブロック(SIB-NB)）がダウンリンク上で送信されると仮定する。DL非アンカー搬送波では、UEがそのような同期信号およびシステム情報信号（例えば、NPSS、NSSS、NPBCH、およびSIB-NB）がダウンリンク上で送信されると仮定しない。アンカー搬送波上で信号は、フレームごとに所定の１つ以上のサブフレーム（例えば、#０、#４、#５）で、さらに１つおきのフレームで他の所定の１つ以上のサブフレーム（例えば＃９）で送信される。NPBCH/SIB-NBを送信するアンカー搬送波サブフレームは、狭帯域基準信号(NRS)をさらに含むことができる。非アンカー搬送波は、NRSと、狭帯域物理ダウンリンク制御チャネル(NPDCCH)および狭帯域物理ダウンリンク共有チャネル(NPDSCH)などのUE固有の信号とを含む。
【０００７】
非アンカー搬送波のためのリソースはネットワークノード（例えば、eNBなどの無線アクセスノード）によって設定される。例えば、eNBは、非アンカー搬送波として扱われる情報要素(DL-Bitmap-NB)を使用して、DLサブフレームのビットマップをシグナリングすることができる。アンカー搬送波および/または非アンカー搬送波は典型的には同一のネットワークノードによって、例えば、サービングセルによって、動作またはサービスされうる。しかし、アンカー搬送波および/または非アンカー搬送波は、異なるネットワークノードによって動作またはサービスされてもよい。非アンカー搬送波の構成は、専用のシグナリングを用いてUEに送信されても、システム情報(System Information)内のセル内でブロードキャストされてもよい。後者のオプションは、非アンカー搬送波が（例えばページングおよびランダムアクセスのために）アイドルモードで用いられる場合に用いられうる。ブロードキャストされた非アンカー構成がどのように見えるかの例を以下に示す。構成の詳細（例えば、パラメータ名、必須/任意のパラメータなど）は依然として3GPP内で検討中であるため、以下の例における搬送波構成の一部は、依然として変わりうることに留意されたい。
【０００８】
-SystemInformationBlockTypeX-NB
IE SystemInformationBlockTypeX-NBは、非アンカー搬送波上のページングおよびランダムアクセス手順のための無線リソース構成を含む。
【表１】
0006792717.tif 000002
【０００９】
ランダムアクセス手順は、例えば、（特に、RRC_IDLE状態にあるUEのための)初期アクセス、UEまたはネットワークからの発呼を開始するためのリソースへのアクセス、UL送信の再同期、要求のスケジューリング、測位などの１つ以上の目的で使用されてもよい。NB-IoTでは、ランダムアクセスメッセージがUEによってアンカー搬送波または非アンカー搬送波上で送信されうる。NB-IoT用の物理ランダムアクセスチャネル(PRACH)は、狭帯域PRACH(NPRACH)と呼ばれる。
【００１０】
NPRACH送信に利用可能なリソースはNB-IoTシステム情報ブロック、例えば、システム情報ブロック2-NB(SIB2-NB)で、または無線リソース制御(RRC)を通じた専用チャネルで、UEに提供されうる。リソースは、ランダムアクセスプリアンブル（例えば、時間および周波数リソース）、NPRACH開始時間、NPRACHリソース周期性などのうちの１つまたは複数を有しうる。時間-周波数リソースの例は、副搬送波、サブフレームなどである。UEはまた、NPRACHプリアンブル送信当たりの繰り返し数、NPRACH試行の最大数などの追加のパラメータを取得してもよい。
【００１１】
UEは、Rel-14で定義されたNB-IOT標準の最新バージョンに従って、競合ベースのランダムアクセスのみを実行することができる。しかしながら、非競合ベースのランダムアクセスが将来許可されるかもしれない。非競合ベースのランダムアクセスまたは無競合ランダムアクセスは、ネットワークノード、例えばeNodeBによって開始することができる。eNodeBは、DL制御チャネルでメッセージを送信することによって、またはRRCメッセージでそのことを示すことによって、非競合ベースのランダムアクセスを開始することができる。eNodeBはまた、コンテンションベースのランダムアクセスを実行するようにUEに命令することができる。
【００１２】
適切なランダムアクセスリソースを選択するために、UEは、ランダムアクセス送信が行われるべき搬送波に関連するカバレージレベル（交換可能にカバレージエンハンスメント(CE)レベルとも呼ばれる）を決定することができる。例えば、アンカー搬送波上での送信のために、UEは、UEとアンカー搬送波を動作させるネットワークノードとの間で推定された経路損失(PL)に基づいてCEレベルを決定することができる。そして、PLはアンカー搬送波にわたって受信される信号の測定（例えば、狭帯域受信信号受信電力、NRSRP）、例えばPL=PNRS-NRSRP [dB]に基づいており、ここで、PNRSは、NRSRPを測定するためにUEによって使用される狭帯域基準信号(NRS)の送信電力である。パラメータPNRSは、ネットワークノードによってUEにシグナリングされてもよい。
【発明の概要】
【００１３】
上述したランダムアクセス手順は、UEがアンカー搬送波上でのみ測定（例えば、経路損失、NRSRPなどの決定）を行うことによって簡略化可能であることが示唆されている。そして、これらの測定値は、非アンカー搬送波上での送信のために再使用可能である。しかしながら、このアプローチに伴う問題は、アンカー搬送波上の測定値が非アンカー搬送波上の測定値を正確に反映しない可能性があることである。
【００１４】
本開示の実施形態は先に明らかにされた問題の１つまたは複数を軽減する、方法および、無線端末機器およびネットワークノード（例えば、eNodeBまたはgNodeB、あるいはそのようなノードに接続されたサーバ）などの装置を提供する。
【００１５】
一態様において、無線端末機器における方法が提供される。無線端末機器は、無線ネットワークの１つまたは複数のネットワークノードと通信するための複数の搬送波とともに構成可能である。複数の搬送波は、第１のセルサイトに配置された無線ネットワークの第１のネットワークノードによって運用される第１の搬送波を有する。方法は、複数の搬送波のうちの第２の搬送波が、第１のセルサイトに配置された、無線ネットワークの第１のネットワークノードまたは第２のネットワークノードによって運用されているという決定に応答して、第１の搬送波に関する１つまたは複数の無線特性についての１つまたは複数の測定値を取得することと、第２の搬送波上で無線メッセージを送信するために１つまたは複数の測定値を利用することとを有する。
【００１６】
本開示の態様はまた、上述の方法を実行するための装置を提供する。例えば、一態様において、無線ネットワークの１つまたは複数のネットワークノードと通信するための複数の搬送波とともに構成可能な無線端末機器が提供される。複数の搬送波は、第１のセルサイトに配置された無線ネットワークの第１のネットワークノードによって運用される第１の搬送波を含む。無線端末機器は、処理回路と、コードを格納する非一時的かつ機械が読み取り可能な媒体とを有し、コードは、処理回路によって実行されると、無線端末機器に、複数の搬送波のうちの第２の搬送波が、第１のセルサイトに配置された、無線ネットワークの第１のネットワークノードまたは第２のネットワークノードによって運用されているという決定に応答して、第１の搬送波に関する１つまたは複数の無線特性についての１つまたは複数の測定値を取得し、第２の搬送波を介して無線メッセージを送信するために１つまたは複数の測定値を利用する、ようにさせる。
【００１７】
別の態様は、無線ネットワークの１つまたは複数のネットワークノードと通信するための複数の搬送波とともに構成可能な無線端末機器を提供する。複数の搬送波は、第１のセルサイトに配置された無線ネットワークの第１のネットワークノードによって運用される第１の搬送波を有する。無線端末機器は、複数の搬送波のうちの第２の搬送波が、第１のセルサイトに配置された、無線ネットワークの第１のネットワークノードまたは第２のネットワークノードによって運用されているという決定に応答して、第１の搬送波に関する１つまたは複数の無線特性についての１つまたは複数の測定値を取得するように構成された第１のモジュールと、第２の搬送波を介して無線メッセージを送信するために１つまたは複数の測定値を利用するように構成された第２のモジュールとを備える。
【００１８】
別の態様では、無線ネットワークのためのネットワークノードにおける方法が提供され、無線端末機器は無線ネットワークとの通信のための複数の搬送波とともに構成可能である。複数の搬送波は、第１のセルサイトに配置された第１のネットワークノードによって運用される第１の搬送波と、さらに第２の搬送波とを有する。方法は、第２の搬送波が、第１のネットワークノードによって、または第１のセルサイトに配置された第２のネットワークノードによって運用されていることを示す構成情報を、無線端末機器に送信することを有する。
【００１９】
本開示の態様はまた、上述の方法を実行するための装置を提供する。例えば、一態様では、無線ネットワークのためのネットワークノードが提供される。無線端末機器は、無線ネットワークとの通信のための複数の搬送波とともに構成可能である。複数の搬送波は、第１のセルサイトに配置された第１のネットワークノードによって運用される第１の搬送波と、さらに第２の搬送波とを有する。ネットワークノードは、処理回路と、コードを格納する非一時的かつ機械が読み取り可能な媒体とを有し、コードは、処理回路によって実行されると、ネットワークノードに、第２の搬送波が、第１のネットワークノードによって、または第１のセルサイトに配置された第２のネットワークノードによって運用されていることを示す構成情報を、無線端末機器に送信させる。
【００２０】
別の態様では、無線ネットワークのためのネットワークノードが提供される。無線端末機器は、無線ネットワークとの通信のために複数の搬送波とともに構成可能である。複数の搬送波は、第１のセルサイトに配置される第１のネットワークノードによって動作される第１の搬送波と、さらに第２の搬送波とを備える。ネットワークノードは、第２の搬送波が、第１のネットワークノードによって、または第１のセルサイトに配置された第２のネットワークノードによって運用されていることを示す構成情報を、無線端末機器に送信するように構成された第１のモジュールを備える。
【００２１】
本開示のさらなる実施形態を以下に示す。一実施形態において、ネットワークノードは、少なくとも、アンカー搬送波(C1)および少なくとも１つの非アンカー搬送波(C2)が同一のネットワークノードによって、または同じサイトに配置されたネットワークノード（別名、コロケートされたノード、コサイトされたノード）によって運用されている（またはサービスを提供されている、あるいは管理されている）という条件に基づいてC1をC2に関連付け、C1とC2がコロケートされている場合に限り、C1およびC2に関する情報によって無線端末を構成する。ノードの共同設置（または同じノードによってサービスが提供されること）に基づくC1とC2との関連付けに関する情報は、予め定めておいてもよいし、無線端末にシグナリングしてもよい。
【００２２】
別の実施形態では、無線端末がアンカー搬送波(C1)および少なくとも１つの非アンカー搬送波(C2)に関する情報を取得する。無線端末は、C1およびC2が同一のネットワークノードによって運用されているか、同じ場所に配置されたネットワークノードによって運用されていれば、C2上での動作（例えばNRACH送信）を実行するために、Ｃ１上で実行される測定を使用する。無線端末は、C1およびC2が、同一のネットワークノードによって運用されていないか、または同じ場所に配置されたネットワークノードによって運用されていなければ、C2上の動作（例えば、NRACH送信）を実行するために、C2上で実行される測定を使用してもよい。
【００２３】
本開示の実施形態によれば、ネットワークノードの位置に関してアンカー搬送波と非アンカー搬送波との関係が明確に定義される。これにより、無線端末は、CEレベル選択および非アンカー搬送波へのランダムアクセスのためのリソース選択のための適切な測定を適用することが可能になる。
【００２４】
この方法は、アンカー搬送波および非アンカー搬送波が同一のネットワークノードまたは同じ場所に配置された異なるネットワークノードによって運用される場合に、無線端末が、アンカー搬送波上で行われた測定を再使用しながら、非アンカー搬送波上でランダムアクセスを正確に実行することを可能にする。そして、ひいては無線端末処理、電力消費、および複雑さを低減する。
【００２５】
この方法は、ワイヤレズ端末が、必要な場合（すなわち、アンカー搬送波および非アンカー搬送波が同じ場所に配置されていないノードによって運用されている場合）にのみ、非アンカー搬送波上で測定を実行することを可能にする。
【００２６】
以下の議論はNB-IOTのための技術的解決策に焦点を当てていることに留意されたい。しかしながら、当業者は、本明細書で説明される方法および装置が、LTE、ならびに、次世代モバイルネットワークアライアンスによって定義されるような、無線システムの第５世代(5G)のために規定される要件を満たすように意図されるネットワークなど、他のネットワークおよびアクセス技術にも適用可能であることを理解するであろう。他のネットワークでは、ノードおよびインターフェースが異なる名前を有しうる（例えば、eNBの代わりにgNB、X2インターフェースの代わりにXNインターフェースといったように）。
【図面の簡単な説明】
【００２７】
【図１】無線通信ネットワークを示す図である。
【図２】本開示の実施形態による、無線端末機器における方法のフローチャートである。
【図３】本開示の実施形態によるネットワークノードにおける方法のフローチャートである。
【図４】本開示の実施形態による無線端末機器の概略図である。
【図５】本開示のさらなる実施形態による無線端末機器の概略図である。
【図６】本開示の実施形態によるネットワークノードの概略図である。
【図７】本開示のさらなる実施形態によるネットワークノードの概略図である。
【発明を実施するための形態】
【００２８】
以下では、限定ではなく説明を目的として、特定の実施形態などの特定の詳細を記載する。しかし、当業者であれば、これらの特定の詳細とは別に、他の実施形態を用いてもよいことを理解するであろう。一部の例においては、説明を不必要な詳細で曖昧にしないように、周知の方法、ノード、インターフェース、回路、および機器の詳細な説明が省略されている。当業者であれば、説明された機能はハードウェア回路（例えば、特殊機能を実行するために相互接続されたアナログおよび/または個別論理ゲート、ASIC、PLAなど）を使用して、および/またはソフトウェアプログラムおよびデータを、そのようなプログラムの実行に基づいて、本明細書で開示された処理を実行するように特に適合された１つまたは複数のデジタルマイクロプロセッサまたは汎用コンピュータと併せて使用して、１つまたは複数のノードで実装されうることを理解するであろう。エアインタフェースを用いて通信するノードはまた、適切な無線通信回路を有する。さらに、本技術は、プロセッサに本明細書で説明される技法を実行させる適切なコンピュータ命令セットを含む半導体メモリ、磁気ディスク、または光ディスクなど、任意の形態のコンピュータ可読メモリ内に完全に具現化されると考えることができる。
【００２９】
ハードウェア実装は、限定はしないが、デジタル信号プロセッサ(DSP)ハードウェア、縮小命令セットプロセッサ、特定用途向け集積回路(ASIC)および/またはフィールドプログラマブルゲートアレイ(FPGA)を含むハードウェア（例えば、デジタルまたはアナログ）回路、ならびに（適切な場合）そのような機能を実行することができる状態機械、を含むか、または包含することができる。
【００３０】
コンピュータ実装に関して、コンピュータは一般に、１つまたは複数のプロセッサ、１つまたは複数の処理モジュール、または１つまたは複数のコントローラを備えると理解され、コンピュータ、プロセッサ、処理モジュール、およびコントローラという用語は、互換的に使用されうる。コンピュータ、プロセッサ、またはコントローラによって提供される場合、機能は単一の専用コンピュータまたはプロセッサまたはコントローラによって、単一の共有コンピュータまたはプロセッサまたはコントローラによって、あるいは複数の個々のコンピュータまたはプロセッサまたはコントローラによって提供されてもよく、それらのうちのいくつかは共有または分散されてもよい。さらに、「プロセッサ」または「コントローラ」という用語はまた、そのような機能を実行することができ、かつ/またはソフトウェアを実行することができる他のハードウェア、たとえば、上で列挙した例示的なハードウェアを指す。
【００３１】
無線端末またはユーザ機器(UE)について説明したが、「UE」はアップリンク(UL)で信号を送信すること、および/またはダウンリンク(DL)で信号を受信および/または測定することのうちの少なくとも１つを可能にする無線インターフェースを装備した任意のモバイルまたは無線デバイス、端末、またはノードを備える非限定的な用語であることは当業者にとって当然である。本明細書におけるUEは、１つまたは複数の周波数、搬送波周波数、コンポーネント搬送波、または周波数帯域で動作することができる、または少なくとも測定を実行することができるUE(その一般的な意味で)を備えることができる。これは、シングルまたはマルチ無線アクセス技術(RAT)またはマルチ標準モードで動作する「UE」であってもよい。「UE」と同様に、用語「移動局」(「MS」)、「モバイルデバイス」、「端末機器」および「無線端末機器」は以下の説明において互換的に使用されてもよく、そのようなデバイスはユーザによって携帯されるという意味で、必ずしも「モバイル」である必要はないことが理解されるであろう。UEの例は、ターゲットデバイス、デバイスツーデバイス(D２D)UE、マシンタイプUEまたはマシンツーマシン(M２M)通信が可能なUE、PDA、タブレットコンピュータ、モバイル端末、スマートフォン、ラップトップ埋め込み装備(LEE)、ラップトップ搭載機器(LME)、USBドングル、ProSe UE、V２V UE、V２X UE、MTC UE、eMTC UE、FeMTC UE、UE Cat ０、UE Cat M１、物の狭帯域インターネット(NB-IoT)、UE Cat NB１などである。
【００３２】
いくつかの実施形態ではより一般的な用語「ネットワークノード」が使用され、それはUEおよび/または別のネットワークノードと通信する、任意のタイプの無線アクセスノードまたは任意のネットワークノードに対応することができる。ネットワークノードの例はNodeB、MeNB、SeNB、MCGまたはSCGに属するネットワークノード、基地局(BS)、MSR BS、eNodeB、gNodeBなどのマルチスタンダード無線(MSR)無線ノード、ネットワークコントローラ、無線ネットワークコントローラ(RNC)、基地局コントローラ(BSC)、リレー、ドナーノード制御リレー、基地トランシーバ局(BTS)、アクセスポイント(AP)、送信ポイント、送信ノード、RRU、RRH、分散アンテナシステム(DAS)内のノード、コアネットワークノード(例えば、MSC、MMEなど)、O & M、OSS、SON、測位ノード(例えば、E-SMLC)、MDT、試験装置などである。さらに、以下の説明がネットワークノードまたは無線アクセスノードにおいて、またはネットワークノードまたは無線アクセスノードによって行われるステップに言及する場合、これは処理および/または意思決定ステップの一部またはすべてが、ノードの無線アンテナから物理的に分離されているが、ノードに論理的に接続されている装置において実行されうる可能性も含む。したがって、処理および/または意思決定が「クラウド内で」実行される場合、関連する処理デバイスは、これらの目的のためにノードの一部であると見なされる。
【００３３】
実施形態は、マシンタイプ通信(MTC)、進化型MTC(eMTC)、NB-IoTなどのLTEまたはLTEベースのシステムについて説明される。一例として、MTC UE、eMTC UE、およびNB-IoT UEは、UEカテゴリ０、UEカテゴリM１、およびUEカテゴリNB１とも呼ばれる。しかしながら、実施形態はUEが信号(例えば、データ)、例えば、LTE FDD/TDD、WCDMA（登録商標）/HSPA、GSM/GERAN、Wi-Fi、WLAN、CDMA２０００、５G、NRなどを受信および/または送信する任意のRATまたはマルチRATシステムに適用可能である。第５世代の移動通信および無線技術である５Gはまだ完全には定義されていないが、3GPP内の高度な草案段階にあることに留意すべきである。これには、５G NR(New Radio)アクセス技術に関する研究が含まれる。5Gでは異なる用語が指定されていても、本開示では同等の５Gエンティティまたは機能を含む未来志向の意味でLTE用語を用いている。これまでの5G New Radio(NR)Access Technologyに関する合意の一般的な説明は、3GPP 38-series Technical Reportsの最新バージョンに含まれている。
【００３４】
図１は、本開示の実施形態の原理を説明するために利用されうるネットワーク１０を示す。ネットワーク１０はバックホールネットワーク１８を介してコアネットワーク２０に接続された第１、第２および第３の無線アクセスノード１２ａ、１２ｂ、１２ｃ（まとめて無線アクセスノード１２と呼ぶ）を有する。
【００３５】
第１および第２の無線アクセスノード１２ａ、１２ｂは同じセルサイト１４に配置され、第３の無線アクセスノード１２ｃは別のサイトに配置されている。以下では、第３の無線アクセスノード１２ｃは第１および第２の無線アクセスノード１２ａ、１２ｂと同じ場所に配置されていないのに対し、第１および第２の無線アクセスノード１２ａ、１２ｂはそれらが同じセルサイトを占有するか、または同じセルサイトに配置されるという点において「同じ場所に配置される」と呼ばれうる。閾値距離未満の距離だけ離間した複数の無線アクセスノードは「同じ場所に配置されている」と見なされうる。例えば、無線端末１６は、無線端末１６とそれぞれの無線アクセスノード１２ａ、１２ｂとの間のそれぞれの距離L１およびL２に基づいて、第１および第２の無線アクセスノード１２ａ、１２ｂが同じ場所に配置されていることを特定することができる。L１ = L２の場合、または|L１-L２| <= Hの場合（Hは距離閾値）、無線アクセスノード１２ａ、１２ｂは同じ場所に配置されていると見なすことができる。これに加えて、またはこれに代えて、無線端末１６は、無線アクセスノード１２ａ、１２ｂと無線端末１６との間における、計算されたそれぞれの経路損失に基づいて、第１および第２の無線アクセスノード１２ａ、１２ｂが同じ場所に配置されていることを特定することができる。無線端末１６と第１の無線アクセスノード１２ａとの間の経路損失(PL１)が無線端末１６と第２の無線アクセスノード１２ｂとの間の経路損失(PL２)と同じ、すなわち、PL１ = PL２である場合、またはPL１およびPL２が非常に類似しているか、または同じ範囲内にある場合、例えば、|PL１-PL２| <= G（GはPLマージンまたはPL閾値）である場合に、第１および第２の無線アクセスノード１２ａ、１２ｂが同じ場所に配置されていると見なすことができる。
【００３６】
同様に、無線端末１６とそれぞれの無線アクセスノード１２ａ、１２ｃとの間のそれぞれの距離L１およびL３に基づいて、第１および第３の無線アクセスノード１２ａ、１２ｃは同じ場所に配置されていないと見なすことができる。L１≠L３である場合、または|L１-L３| > Hである場合（Hは距離閾値）、無線アクセスノード１２ａ、１２ｃは同じ場所に配置されていないと見なすことができる。これに加えて、またはこれに代えて、無線端末１６は、無線アクセスノード１２ａ、１２ｃと無線端末１６との間における、計算されたそれぞれの経路損失に基づいて、第１および第３の無線アクセスノード１２ａ、１２ｃが同じ場所に配置されていないことを特定することができる。無線端末１６と第１の無線アクセスノード１２ａとの間の経路損失(PL１)が無線端末１６と第３の無線アクセスノード１２ｃとの間の経路損失(PL３)と同じでない、すなわち、PL１≠PL３または|PL１-PL３| > G（GはPLマージンまたはPL閾値）である場合に、第１および第３の無線アクセスノード１２ａ、１２ｃが同じ場所に配置されていないと見なすことができる。
【００３７】
無線アクセスノード１２は、例えば、使用される無線アクセス技術および用語に応じて、例えば、基地局、ノードB、進化型ノードB（eNB、またはeNodeB）、gNodeB、基地トランシーバ局、アクセスポイント基地局、基地局ルータ、無線基地局(RBS)、マクロ基地局、マイクロ基地局、ピコ基地局、フェムト基地局、ホームeNodeB、リレーおよび/またはリピータ、ビーコン装置、または、無線インターフェースを介して無線機器と通信するように構成された任意の他のネットワークノードと呼ばれうる。
【００３８】
無線端末１６（代替用語については上記を参照）は、無線アクセスノード１２と１つまたは複数の無線搬送波を確立するように構成可能である。例えば、無線端末１６は、無線アクセスノード１２のうちの１つがサービスを提供するセルにキャンプオンすることができる。無線端末１６によって無線アクセスノード１２に送信されるメッセージは「アップリンク」で送信されると言われ、無線アクセスノード１２によって無線端末１６に送信されるメッセージは「ダウンリンク」で送信されると言われる。
【００３９】
無線端末１６は、複数の搬送波を用いてネットワーク１０と通信するように構成可能である。複数の搬送波は、少なくとも１つのアンカー搬送波と、少なくとも１つの非アンカー搬送波とを有する。複数の搬送波は１つ以上の無線アクセスノード１２によって運用されてよく、したがって、無線端末１６は同時に１つ以上のネットワークノードと無線で通信してもよい。例えば、無線端末１６が第１の無線アクセスノード１２ａと確立された第１の（アンカー）搬送波を有する場合、第２の（非アンカー）搬送波が無線端末１６と第１の無線アクセスノード１２ａ（すなわち、２つ以上の搬送波が同一のネットワークノードと確立される）、第２の無線アクセスノード１２ｂ、または第３の無線アクセスノード１２ｃとの間に確立されうる。さらなる搬送波が確立されてもよい。
【００４０】
「運用される(operated)」という用語は、本明細書では特定の搬送波上で無線信号を送信および/または受信することを意味するものと解釈される。したがって、例えば、第１の無線アクセスノード１２ａによって運用される搬送波は第１の無線アクセスノード１２ａから無線端末１６に信号を送信するために（すなわち、ダウンリンク）、第１の無線アクセスノード１２ａにおいて無線端末１６から信号を受信するために（すなわち、アップリンク）、またはアップリンク送信とダウンリンク送信の両方に使用されうる。例えば、１つの搬送波は、例えば時分割多重(TDD)搬送波として構成されるときに、異なる時間リソースで信号を送信ならびに受信するために使用されてもよい。別の例では、１つの搬送波が異なる周波数を有する第１および第２の副搬送波をさらに備えることができ、第１の副搬送波は信号（すなわち、DL信号）を送信するために無線アクセスノードによって使用され、第２の副搬送波は信号（すなわち、UL信号）を受信するために使用される。
【００４１】
無線端末は、サービングセルに関して、通常カバレージまたは拡張カバレージのいずれかの下で動作しうる。拡張カバレージは、交換可能に強化カバレージとも呼ばれる。無線端末は複数のカバレージレベル(CE)、例えば、通常のカバレージ(別名CEレベル０)、拡張カバレージレベル１(CE1)、拡張カバレージレベル２(CE2)、拡張カバレージレベル３(CE3)などで動作することもできる。
【００４２】
通常カバレージ動作および強化カバレージ動作は一般に、全体的なシステム帯域幅（別名、セル帯域幅、セル送信帯域幅、DLシステム帯域幅など）と比較して、より狭いUE RF帯域幅で行われうる。いくつかの実施形態では、UE RF帯域幅がシステム帯域幅と同じでありうる。狭いRF帯域幅の例は、200KHz、1.4MHzなどである。システム帯域幅の例は、200KHz、1.4MHz、3MHz、5MHz、10MHz、15MHz、20MHzなどである。強化/拡張カバレージの場合、無線端末がレガシーシステムで動作するときのその能力と比較して、より低い信号品質レベル（例えば、SNR、SINR、副搬送波当たりの平均受信信号エネルギ対副搬送波当たりの総受信電力の比率(E^s/Iot)の比率、RSRQなど）のもとで動作することが可能でありうる。カバレージレベルの向上は動作シナリオによって変化しうる上、無線端末のタイプにも依存しうる。例えば、カバレージが悪い地下室に配置された無線端末は、セル境界にある無線端末（例えば-3dB）と比較して、より大きなレベルのカバレージ拡張（例えば20dB）を必要とすることがある。
【００４３】
無線端末のカバレージレベルは任意のセル、例えば、サービングセル、非サービングセル、隣接セルに関して定義されうる。カバレージレベルは、交換可能にカバレージ拡張(CE)レベルとも呼ばれる。例えば、セルに関するCEレベルは、そのセルからUEにおいて受信される信号レベルに関して表すことができる。あるいは、セルに対する無線端末のCEレベルは、無線端末からセルで受信された信号レベルに関して表すことができる。一例として、受信信号レベルは、セルに対する無線端末での受信信号品質および/または受信信号強度に関して表すことができる。より具体的には、カバレージレベルは次のように表すことができる：
-  セルに関する無線端末での受信信号品質および/または受信信号強度、および/または
-  無線端末に関するセルでの受信信号品質および/または受信信号強度。
【００４４】
CEレベルは、例えば、CEレベル1、CEレベル2、CEレベル3などの２つ以上の離散的なレベルまたは値に関して表わすことができ、信号品質または信号強度の測定値は例えば、離散的なレベルまたは値のうちの１つ以上にマッピングされる。無線端末における信号品質（例えばSNR）に関して定義された、以下の２つのカバレージレベルの例を考える：
-  カバレージ拡張レベル１(CE1)はあるセルに関して無線端末においてSNR>=-６dBであり、
-  カバレージ拡張レベル２(CE2)は、あるセルに関して無線端末において-15dB<= SNR < -6dBである。
【００４５】
この例では、CE1を、通常カバレージレベル、ベースラインカバレージレベル、基準カバレージレベル、レガシーカバレージレベルなどと交換可能に呼ぶことができる。
CE2を、拡張カバレージまたは強化カバレージレベルと呼ぶこともできる。
【００４６】
別の例では、２つの異なるカバレージレベル（例えば、通常カバレージおよび拡張カバレージ）が信号品質レベルに関して以下のように定義されうる:
-  通常カバレージのための要件は、セルに関するUEの無線状態がSCH E^s/Iot>=-6dBおよびセル基準シグナル(CRS) E^s/Iot >= -6 dBのように定義されるならば、セルに関するUEカテゴリNB1に適用できる。
-  セルに関するUEの無線状態がSCH E^s/Iot>=-15dBおよびCRS E^s/Iot>=-15dBとして定義されるならば、拡張カバレージの要件は、セルに関するUEカテゴリNB1に適用できる。
【００４７】
したがって、一般に、特定のセルまたは搬送波のためのCEレベルは、CEレベルのための離散レベルまたは値と、その特定のセルにわたる信号品質または信号強度の１つまたは複数の尺度との間のマッピングによって定義されうる。
【００４８】
図２は、本開示のいくつかの実施形態による方法のフローチャートである。この方法は例えば、図１に関して上述した無線端末１６のような端末機器によって実行され、非アンカー搬送波であってもよい第２の搬送波C2を介してメッセージを送信するために使用されてもよい。送信されるメッセージは、データチャネルメッセージ、制御チャネルメッセージ、またはランダムアクセスチャネルメッセージなどの任意のメッセージとすることができる。
【００４９】
開示された実施形態は、（低RRC状態または高RRC状態などの）低アクティビティ状態または高アクティビティ状態にある無線端末に適用可能である。低アクティビティ状態の例には、RRCアイドル状態、アイドルモードなどが含まれる。高アクティビティ状態の例は、RRC CONNECTED状態、アクティブモード、アクティブ状態などである。端末機器は、不連続受信(DRX)モードまたは非DRXモードで動作するように構成されうる。DRXで動作するように構成されている場合、無線端末は、ネットワークノードから新しい送信を受信している間は非DRXに従って依然として動作することができる。
【００５０】
方法は、無線端末が第１の搬送波C1を決定するステップ１００で始まる。一実施形態では、第１の搬送波C1はアンカー搬送波である。
【００５１】
ステップ１００は、無線端末が第１の搬送波C1に関する情報を取得するサブステップを含むことができる。例えば、無線端末はネットワークノード（例えば、サービング無線アクセスノード）から１つまたは複数のメッセージを受信することによって、そのような情報を取得しうる。メッセージは、RRCシグナリングまたは他のプロトコルを使用して送信されうる。メッセージは（例えばシステム情報ブロックの一部として）ブロードキャストされてもよいし、無線端末専用（例えばユニキャストまたはマルチキャスト）であってもよい。取得された情報は第１の搬送波C1に関連付けられた搬送波周波数の表示(indication)（例えば、チャネル番号、絶対無線周波数チャネル番号、ARFCN、E-UTRA絶対無線周波数チャネル番号EARFCNなど）と、第１の搬送波と１つまたは複数の他の搬送波との間の関連付けの表示と、第１の搬送波C1の配備モードの表示とのうちの１つまたは複数を含みうる。情報は、搬送波C1が無線端末のためのアンカー搬送波として構成されているという表示をさらに含んでもよい。
【００５２】
方法はステップ１０２に進み、無線端末は第２の搬送波C2を決定する。一実施形態において、第２の搬送波C2は非アンカー搬送波である。
【００５３】
ステップ１０２は、無線端末が第２の搬送波C2に関する情報を取得するサブステップを含むことができる。取得された情報は第２の搬送波C2に関連付けられた搬送波周波数の表示（例えば、チャネル番号、絶対無線周波数チャネル番号、ARFCN、E-UTRA絶対無線周波数チャネル番号EARFCNなど）と、第２の搬送波と１つまたは複数の他の搬送波との間の関連付けの表示と、第２の搬送波C2の配備モードの表示とのうちの１つまたは複数を含みうる。情報は、第２の搬送波C2が無線端末のための非アンカー搬送波として構成されているという表示をさらに含みうる。
【００５４】
無線端末は、搬送波C1およびC2を運用するために用いられる動作モードに関する情報をさらに取得することができる。上述のように、動作モードの例は、インバンド、スタンドアロン、およびガードバンドである。例えば、無線端末はネットワークノード（例えば、搬送波を運用するノード）から受信することによって、または予め定義されたルールに基づいて、この情報を取得することができる。
【００５５】
方法はステップ１０４に進み、無線端末は、搬送波C1およびC2が同一のネットワークノードによって、または同じ場所に配置されたネットワークノードによって運用されているかどうかを判定する。例えば、図１の例を使用して、第１の搬送波C1が第１の無線アクセスノード１２ａによって運用され、第２の搬送波C2が第１の無線アクセスノード１２ａまたは第２の無線アクセスノード１２ｂのいずれかによって運用される場合、ステップ１０４は肯定されうる。第１の搬送波C1が第１の無線アクセスノード１２ａまたは第２の無線アクセスノード１２ｂによって運用され、第２の搬送波C2が第３の無線アクセスノード１２ｃによって運用される（またはその逆の）場合、ステップ１０４は否定されうる。
【００５６】
無線端末は、ステップ１００および１０２で説明したシグナリングで受信した搬送波C1、C2間の任意の関連付けに基づいて、第１および第２の搬送波が同一の、または同じ場所に配置されたネットワークノードによって運用されていることを特定することができる。例えば、搬送波C1、C2の構成情報は、搬送波が同一のネットワークノードまたは同じ場所に配置されたネットワークノードによって運用されることを示す、２つの搬送波間の関連付けを示すことができる。それに加えて、またはその代わりに、無線端末は、ステップ１００および１０２で決定された、第１および第２の搬送波の配備モードの表示に基づいて、第１および第２の搬送波が同一の、または同じ場所に配置されたネットワークノードによって運用されていることを特定することができる。例えば、第１の配備モードでは第１および第２の搬送波が同一のネットワークノードまたは同じ場所に配置されたネットワークノードによって運用されていると見なすことができ、第２の配備モードでは第１および第２の搬送波が同じ場所に配置されていないネットワークノードによって運用されていると見なすことができる。
【００５７】
関連付けまたは配備モードは、明示的または暗黙的に特定されうる。前者の場合、搬送波間の関連付けまたは配備モードは、ステップ１００および１０２に関して上述したメッセージで無線端末に明示的にシグナリングされてよい。後者の場合、搬送波間の関連付けまたは配備モードは、１つまたは複数の他の要因に基づいて、無線端末によって暗黙的に特定されうる。例えば、両方の搬送波が同じ動作モードで動作している場合（例えば、両方の搬送波がインバンド動作を利用するか、または両方の搬送波がガードバンド動作を利用するか、または両方の搬送波がスタンドアロン動作を利用する場合)、無線端末は搬送波間の関連付けを想定するように、または、２つの搬送波についての配備モードが、両方の搬送波が同一のネットワークノードまたは同じ場所に配置されたネットワークノードによって運用されていることを示していると想定するように、事前に定義されてもよい。さらなる実施形態では、無線端末が搬送波C1とC2との間に何らかの関連付けがあるかどうか、または特定の配備モードを想定すべきかどうかを判定するために、履歴データまたは統計を利用しうる。例えば、無線端末は、第１および第２の搬送波C1、C2にわたる測定に基づいて、搬送波が同一のネットワークノードまたは同じ場所に配置されたネットワークノードによって運用されていることを特定することができる。一実施形態では、無線端末が各搬送波上の経路損失を計算し、経路損失が同じであるか否か、または互いの閾値内であるか否かを判定し、搬送波が同一のネットワークノードまたは同じ場所に配置されたネットワークノードによって、あるいは同じ場所にないネットワークノードによって運用されていることを特定することができる。履歴データは、第１および第２の搬送波が以前に互いに関連付けられていたかどうか、または特定の配備モードの下で運用されていた（この場合、同じ関連付けまたは配備モードが想定されうる）かどうかに関する表示を含みうる。
【００５８】
本開示の実施形態によれば、ステップ１０４で行われた判定結果を、無線端末における測定プロセスを変更するために使用してもよい。したがって、ステップ１０４における判定結果が、第１の搬送波および第２の搬送波が同じ場所に配置されていないネットワークノードによって運用されていることである場合、方法はステップ１０６に進み、無線端末は、第２の搬送波C2上で測定を実行する。
【００５９】
この手順によれば、無線端末は第２の搬送波の１つまたは複数の無線特性に関する１つまたは複数の測定値を取得するために、第２の搬送波C2上で（すなわち、C2の無線信号上で）１つまたは複数の測定を実行する。測定は、狭帯域基準信号(NRS)など、第２の搬送波C2内の１つまたは複数の基準信号上で実行されうる。
【００６０】
無線特性は無線信号強度（例えば、経路損失、経路ゲイン、受信信号受信電力(RSRP)、狭帯域RSRP(NRSRP)、SCH_RPなど)、および無線信号品質（例えば、信号対雑音比(SNR)、信号対雑音干渉比(SINR)、チャネル品質インジケータ(CQI)、受信信号受信品質(RSRQ)、狭帯域RSRQ(NRSRQ)、セル基準信号(CRS)E^s/Iot、単一チャネル(SCH)E^s/Iotなど）の１つまたは複数を含みうる。表記E^s/Iotは、
・UEアンテナコネクタにおける、シンボルの有効部分、すなわちサイクリックプレフィックスを除いた部分の器間における、リソース要素RE当たりの受信エネルギ（副搬送波間隔に対して正規化された電力）であるE^sの、
・UEアンテナコネクタで測定された、あるREに対する総ノイズおよび干渉の受信電力スペクトル密度（REにわたって積分され、また副搬送波間隔に対して正規化された電力）であるIotに対する比として定義される。
【００６１】
ステップ１０８において、無線端末はカバレージレベル（上記参照）としても知られるカバレージ拡張(CE)レベルを決定するために、ステップ１０６において取得された測定値を適用する。ステップ１０８は、無線端末が測定の結果に基づいて、無線端末と搬送波C2を運用しているネットワークノードとの間の経路損失(PL)をさらに推定することと、搬送波C2に関するCEレベルを決定するためにPLを使用することとを含みうる。代替実施形態では、無線端末がステップ１０６で取得された測定値に直接基づいて、搬送波C2のCEレベルを決定することができる。CEレベルと信号品質および/または信号強度の測定値との間のマッピングに関する上記の議論を参照されたい。
【００６２】
ステップ１１０において、無線端末は、決定されたCEレベルに基づいて、C2に関連する無線リソースを選択する。無線リソースは時間リソース（例えば、タイムスロット、サブフレーム、繰り返しレート、繰り返し回数など）、周波数リソース（例えば、（１つ以上の）サブチャネル）、および送信をエンコードするための直交符号のうちの１つまたは複数を含みうる。無線端末はまた、送信試行当たりの繰り返し回数、送信試行の最大回数、（１つ以上の）送信電力レベルなど、追加のパラメータをさらに取得してもよい。ステップ１１２において無線端末は、選択されたリソースを使用し、搬送波C2によってメッセージを送信する。上述したように、メッセージは、データメッセージ、制御メッセージ、およびランダムアクセスメッセージのうちの１つまたは複数を含みうる。
【００６３】
ステップ１０４において、第１および第２の搬送波が同一のネットワークノードによって、または同じ場所に配置されたネットワークノードによって運用されていると判定された場合、方法はステップ１１４に進み、無線端末は、第１の搬送波C1についての測定値を取得する。２つの搬送波が同一のネットワークノードから、または互いに近接して配置されたネットワークノードによって送信されるため、一方の搬送波についての測定値は、他方の搬送波にも該当することが想定できる。したがって、この状況では、無線端末が１つの搬送波上でのみ測定を実行することができ、得られた測定結果を、同一のネットワークノードによって、または同じ場所に配置されたノードによって運用される他の搬送波にも適用することができる。
【００６４】
したがって、ステップ１１４において、無線端末は、第１の搬送波C1の１つまたは複数の無線特性に関する１つまたは複数の測定値を取得する。ステップ１１４は、無線端末が第１の搬送波C1上で（すなわち、NRSなどの無線信号上で）測定を実行することを含みうる。あるいは、ステップ１１４は、無線端末が、自身がアクセス可能なメモリ（例えば、自身が有するメモリ）から、自身が実行した以前の測定に関連する１つまたは複数の測定値を取得することを含みうる。例えば、無線端末はそのような測定をアンカー搬送波上で規則的または周期的な間隔で実行することができ、その場合、無線端末は、最新の測定に関連する１つまたは複数の測定値を取得することができる。
【００６５】
ステップ１０６と同様に、無線特性は無線信号強度（例えば、経路損失、経路ゲイン、受信信号受信電力(RSRP)、狭帯域RSRP(NRSRP)、SCH_RPなど)、および無線信号品質（例えば、信号対雑音比(SNR)、信号対雑音干渉比(SINR)、チャネル品質指標(CQI)、受信信号受信品質(RSRQ)、狭帯域RSRQ(NRSRQ)、セル基準信号(CRS)E^s/Iot、単一チャネル(SCH)E^s/Iotなど）のうちの１つまたは複数を含みうる。表記E^s/Iotは、
・UEアンテナコネクタにおける、シンボルの有効部分、すなわちサイクリックプレフィックスを除いた部分の器間における、リソース要素RE当たりの受信エネルギ（副搬送波間隔に対して正規化された電力）であるE^sの、
・UEアンテナコネクタで測定された、あるREに対する総ノイズおよび干渉の受信電力スペクトル密度（REにわたって積分され、また副搬送波間隔に対して正規化された電力）であるIotに対する比として定義される。
【００６６】
方法はステップ１１６に進む。ステップ１１６は、無線端末が搬送波C2のCEレベルをステップ１１４で取得された（すなわち、第１の搬送波C1についての）測定値に基づいて決定することを除き、ステップ１０８と実質的に同様である。
【００６７】
ステップ１１８において無線端末は、搬送波C2上でのメッセージ送信のためのリソースを選択する。そして、ステップ１２０において無線端末は、選択したリソースを使用してメッセージを送信する。いくつかの実施形態では、これらのステップはそれぞれステップ１１０および１１２と実質的に同じである。
【００６８】
しかし、他の実施形態では、ステップ１１８において、C1およびC2のDL送信電力の関係に関する情報を、例えばシステム情報または専用メッセージによって無線端末に提供することもできる。また、DL送信電力は、例えば、ページングによって使用される繰り返しの回数、基準信号間の電力差など、他の構成から間接的に導出することもできる。無線端末はこのような情報を、自身のメッセージを送信するためにどのUL搬送波を使用すべきかをさらに決定するために用いることができる。これは、UL搬送波についてはランダムアクセス応答のためにDL搬送波が関連づけられているため、ULはこの追加情報を、自身の測定結果とともに、好ましいDL搬送波を決定するために利用しようと試みることができるからである。
【００６９】
図示の実施形態では、測定がアンカー搬送波上で実行され、非アンカー搬送波に適用されている。この実施形態は、セルハンドオーバに関連するモビリティ手順などの他の手順を実行するための、アンカー搬送波上での測定を、無線端末が事前に実行しうるという利点を有する。したがって、この実施形態では、無線端末がアンカー搬送波C1上で以前に実行した測定結果に依拠することで、新たな測定を実行することなくメッセージを送信することができる。しかしながら、他の実施形態では、測定が非アンカー搬送波上で実行され、アンカー搬送波などの他の搬送波に適用されてもよい。
【００７０】
図３は、本開示の実施形態による方法のフローチャートである。この方法は、無線アクセスノード（例えば無線アクセスノード１２）などのネットワークノードにおいて実行することができる。一実施形態では、この方法がアンカー搬送波を運用するネットワークノードによって実行される。
【００７１】
ステップ２００において、ネットワークノードは、第１の搬送波(C1)として使用することができる少なくとも１つの搬送波周波数を決定する。一実施形態では、第１の搬送波C１はアンカー搬送波である。例えば、ダウンリンクにおいて所定のタイプの共通信号を送信する搬送波、例えば、NPSS、NSSS、NPBCH、SIB-NBなどをアンカー搬送波として用いることができる。
【００７２】
さらにネットワークノードは、C1を、その周波数特性、例えば、搬送波周波数、周波数帯域などに基づいて決定することができる。例えば、1GHz未満の周波数帯域の搬送周波数または搬送波をC1として用いることができる。
【００７３】
ネットワークノードはさらに、ダウンリンクにおける最大利用可能送信電力に基づいてC1を決定することができる。例えば、ネットワークノードが少なくともX dBm（例えば30dBm）を送信可能な搬送波周波数をC1として用いることができる。
【００７４】
決定された搬送波C1は第１のネットワークノード(NW1)によって運用され、一実施形態では第１のネットワークノードがこの方法を実行するネットワークノードである。
【００７５】
ステップ２０２においてネットワークノードは、第２の搬送波(C2)のための少なくとも１つの搬送波周波数を決定する。一実施形態では、第２の搬送波は非アンカー搬送波である。搬送波C2は、第２のネットワークノード(NW2)（第１のネットワークノードNW1と同じであってもよい）によって運用される。
【００７６】
ステップ２０４においてネットワークノードは、第１および第２の搬送波が同一のネットワークノードによって、または（上で定義したように）同じ場所に配置されたネットワークノードによって運用されているかどうかを判定する。
【００７７】
例えば、この方法が第１のネットワークノードによって実行され、両方の搬送波が第１のネットワークノードによって運用される場合、この判定は、第１のネットワークノードによって運用される第１および第２の搬送波の確立時に容易に実行することができる。あるいは、第１のネットワークノードは、第２のネットワークノードとの直接シグナリングを通じて、あるいは第２のネットワークノードによって送信された信号を検知することを通じて、第２のネットワークノードが第１のネットワークノードと同じ場所に配置されていることを特定できる。
【００７８】
あるいは、ネットワークノードは、C1およびC2を運用するノードが同一もしくは同じ場所に配置されているかどうかを、以下の１つまたは複数に基づいて特定することができる。
・予め定義された情報（例えば、搬送波周波数に関する情報および、それぞれの搬送波を運用しているネットワークノードの位置情報）に基づいて、
・他のネットワークノードから受信した情報、
・C1およびC2を運用するために用いられる配備モードの履歴データまたは統計値。すなわち、搬送波C1およびC2が同一のネットワークノードまたは同じ場所に配置されたノードによるそれらの動作に基づいて以前に互いに関連付けられていた場合、ステップ２０４において、同じ関連付けを想定することができる。
【００７９】
一実施形態では、方法が、第１および第２の搬送波が同一のネットワークノードによって、または同じ場所に配置されたノードによって運用されるという判定に応答してのみ実行されうるという点で、ステップ２０４は必要に応じて実行されるか、暗黙的である。
【００８０】
第１および第２の搬送波が同一のネットワークノードによって、または同じ場所に配置されたネットワークノードによって運用されていない場合、一実施形態では、方法は終了する。したがって、搬送波が互いに関連付けられているかどうか、または搬送波が同じ配備モードを有するかどうかを示す構成情報は、無線端末に送信されない。そのような実施形態では、無線端末は、関連づけまたは共通する配備モードが存在しないことを想定することができる。
【００８１】
あるいは、方法はステップ２０６に進んでもよく、ステップ２０６でネットワークノードは、搬送波C1とC2との間に関連づけまたは共通する配備モードが存在しないことを明示的または暗黙的に示す構成情報を無線端末に送信する。構成情報は、１つ以上のメッセージで送信されてもよい。構成情報は、RRCシグナリングまたは他のプロトコルを使用して送信されうる。構成情報は（例えば、システム情報ブロックの一部として）ブロードキャストされてもよいし、無線端末に専用であってもよい（例えば、ユニキャストまたはマルチキャスト）。構成情報は第１および第２の搬送波C1およびC2に関連する搬送波周波数の表示（例えば、チャネル番号、絶対無線周波数チャネル番号、ARFCN、E-UTRA絶対無線周波数チャネル番号EARFCNなど）と、第１および第２の搬送波間の関連付けがないことの表示と、第１および第２の搬送波C1およびC2の共通配備モードがないことの表示とのうち、１つまたは複数を含みうる。情報は、第１の搬送波がアンカー搬送波として構成され、第２の搬送波C2が非アンカー搬送波として構成されるという表示をさらに含みうる。
【００８２】
C1およびC2を運用するために使用される関連付けまたは配備モードは、C1とC2との同期レベルに依存しない。例えば、搬送波C1およびC2は、それらの関連付けまたは共通配備モードにかかわらず、互いに同期されてもよいし、同期されなくてもよい。この点について、いくつかの例を用いて説明する。
-  例えば、C1およびC2が同じ場所に配置された基地局によって運用される場合であっても、それらのフレームタイミングは異なりうる。搬送波C1およびC2はそれらのフレームタイミングが所定の閾値（例えば3μs）以内であれば同期していると見なすことができ、さもなくば同期していない（非同期としても知られている）と見なすことができる。
-  別の例において、C1およびC2が同じ場所に配置されていないネットワークノードによって運用されているものとする。この場合、C1およびC2のフレームの送信タイミングは同じであってよく、あるいは所定のマージン（例えば3μs）以内とされてもよい。
-  さらに別の例において、C1およびC2が同じ場所に配置されていないネットワークノードによって運用されているものとする。この場合、C1およびC2から無線端末で受信される信号の時間差は所定のマージン（例えば10μs）以内でありうる。これは、UEに関する同期された動作の一例である。しかしながら、C1およびC2は、同じ場所に配置されていない基地局によって運用されている。
【００８３】
したがって、ネットワークノードは１つまたは複数の追加のパラメータまたは基準に基づいて、C1とC2との間の関連付けをさらに（すなわち、C1およびC2を運用するネットワークノードが同じ場所に配置されていることに加えて）決定することができる（ステップ２０８）。このような基準の例を以下に示す：
・C2の搬送周波数：例えば、2GHz未満であるC2を選択する。
・C2の周波数帯域：例えば、2GHz未満の周波数帯域に属するC2を選択する。
・C1とC2の搬送波周波数の関係：例えば、C1とC2の間の差が所定の周波数閾値（例えば20MHz）以下であることを条件に、C2を選択する。
・C1とC2のタイミング、またはそれらのタイミングの関係。タイミングの関係の例は、C1とC2の送信タイミングの間の差（C1とC2の送信タイミングのいわゆる時間合わせ誤差(TAE)）、C1とC2のフレームタイミングの時間差などである。例えば、C1およびC2のフレームタイミングが所定の閾値（例えば3μs）以内となるように、C2が選択される。この場合、C1およびC2は同期搬送波と呼ばれうる。
【００８４】
上述した規則または手順は、任意の動作モードまたは１つ以上の特定の動作モードに適用可能でありうる。モードの例は、インバンドモード、ガードバンドモード、およびスタンドアロンモードである。
【００８５】
必要とされるさらなる条件が満たされない場合、本方法は再び終了するか、または上述したようにステップ２０６に進むことができる。
【００８６】
さらなる条件が必要とされない場合、または必要な条件が満たされる場合、方法はステップ２１０に進む。ステップ２１０では、第１の搬送波と第２の搬送波との間の関連付けを示すために、または２つの搬送波の共通配備モードを示すために、すなわち、２つの搬送波が同一のネットワークノードによって、または同じ場所に配置されたネットワークノードによって運用されていること、および、無線端末が他方の搬送波上で信号を送信するために一方の搬送波についての測定値を使用しうることを示すために、構成情報が無線端末に送信される（図２を参照）。ステップ２０６と同様に、構成情報は１つ以上のメッセージで送信されてよい。構成情報は、RRCシグナリングまたは他のプロトコルを使用して送信されうる。構成情報は、（例えばシステム情報ブロックの一部として）ブロードキャストされてもよいし、無線端末に専用であってもよい（例えばユニキャストまたはマルチキャスト）。構成情報は第１および第２の搬送波C1およびC2に関連付けられた搬送波周波数の表示（例えば、チャネル番号、絶対無線周波数チャネル番号、ARFCN、E-UTRA絶対無線周波数チャネル番号EARFCNなど）と、第１および第２の搬送波間の関連付けの表示と、第１および第２の搬送波C2の共通配備モードの表示とのうちの１つまたは複数を含みうる。情報は、第１の搬送波がアンカー搬送波として構成され、第２の搬送波C２が非アンカー搬送波として構成されているという表示をさらに含みうる。
【００８７】
代替の実施形態においてネットワークノードは、搬送波C1およびC2が同じ場所に配置されていないネットワークノードによって運用されている場合に（すなわち、ステップ２０６でのように）構成情報を送信することができる。しかし、搬送波C1およびC2が同一のネットワークノードによって、または同じ場所に配置されたネットワークノードによって運用されている場合には構成情報を送信しなくてもよい。すなわち、この代替実施形態において無線端末は、逆に（ステップ２０６で）構成情報を受信しない限り、かつ受信するまで、搬送波が同一のネットワークノードまたは同じ場所に配置されたネットワークノードによって運用されていると見なすことができる。したがって、この実施形態ではステップ２１０は実行されない。
【００８８】
図４は、本開示の実施形態による無線端末機器３００の概略図である。例えば、無線端末機器３００は、上述した無線端末１６に相当してよい。この装置は、図２に関して上述した方法を実行するのに適しうる。
【００８９】
無線端末機器３００は、無線ネットワークの１つまたは複数のネットワークノードと通信するための複数の搬送波とともに構成可能であってよい。複数の搬送波は、第１のセルサイトに配置された無線ネットワークの第１のネットワークノードによって運用される第１の搬送波を有しうる。
【００９０】
無線端末機器３００は、処理回路３０２と、命令を格納する非一時的な機械可読媒体３０４とを有する。命令は、処理回路３０２によって実行されると、端末機器３００に、複数の搬送波のうちの第２の搬送波が第１のネットワークノードか、第１のセルサイトに配置された無線ネットワークの第２のネットワークノードによって運用されているとの判定に応答して、第１の搬送波に関する１つまたは複数の無線特性に関する１つまたは複数の測定値を取得し、第２の搬送波によって無線メッセージを送信するために１つまたは複数の測定値を利用する、ようにさせる。
【００９１】
無線端末機器はまた、一般に、１つまたは複数のアンテナおよび、１つまたは複数のアンテナに接続されたトランシーバ回路といった、無線信号を送信および受信するためのハードウェアおよび/またはソフトウェアをさらに有しうる。
【００９２】
図５は、本開示の実施形態による無線端末機器４００の概略図である。例えば、無線端末機器４００は、上述した無線端末１６に相当してよい。この装置は、図２に関して上述した方法を実行するのに適しうる。
【００９３】
無線端末機器４００は、無線ネットワークの１つまたは複数のネットワークノードと通信するための複数の搬送波とともに構成可能であってよい。複数の搬送波は、第１のセルサイトに配置された無線ネットワークの第１のネットワークノードによって運用される第１の搬送波を有しうる。
【００９４】
無線端末機器４００は、複数の搬送波のうちの第２の搬送波が第１のネットワークノードか、第１のセルサイトに配置された無線ネットワークの第２のネットワークノードによって運用されているという判定に応答して、第１の搬送波のための１つまたは複数の無線特性のための１つまたは複数の測定値を取得するように構成された第１のモジュール４０２を有する。無線端末機器４００はさらに、第２の搬送波によって無線メッセージを送信するために１つまたは複数の測定値を利用するように構成された第２のモジュール４０４を有する。
【００９５】
無線端末機器はまた、一般に、１つまたは複数のアンテナおよび、１つまたは複数のアンテナに接続されたトランシーバモジュールといった、無線信号を送信および受信するための１つ以上のモジュールをさらに有しうる。
【００９６】
図６は、本開示の実施形態によるネットワークノード５００の概略図である。例えば、ネットワークノード５００は、無線アクセスノード（eNodeBまたはgNodeBなど）、または、コアネットワークに接続された、あるいはサーバ環境内に存在し、そのような無線アクセスノードに通信可能に接続されたノードであってもよい。
【００９７】
ノード５００は、図１に関して上述した無線アクセスノード１２の１つとして動作可能であってよい。ノード５００は、図３に関して上述した方法を実行するのに適しうる。ネットワークノード５００は、無線ネットワークと通信するための複数の搬送波とともに構成可能な無線端末機器と通信中であってよく、複数の搬送波は、第１のセルサイトに配置された第１のネットワークノードによって運用される第１の搬送波と、さらに第２の搬送波とを有する。
【００９８】
ネットワークノード５００は、処理回路５０２と、命令を格納する非一時的コンピュータ可読媒体５０４とを有する。命令は、処理回路５０２によって実行されると、ノード５００に、第２の搬送波が第１のネットワークノードによって、または第１のセルサイトに配置された第２のネットワークノードによって運用されていることを示す構成情報を無線端末機器に送信させる。
【００９９】
ネットワークノード５００はまた、一般に、１つまたは複数のアンテナおよび、１つまたは複数のアンテナに接続されたトランシーバ回路といった、無線信号を送信および受信するためのハードウェアおよび/またはソフトウェアとをさらに有しうる。
【０１００】
図７は、本開示のさらなる実施形態によるネットワークノード６００の概略図である。例えば、ネットワークノード６００は、無線アクセスノード（eNodeBまたはgNodeBなど）、または、コアネットワークに接続され、あるいはサーバ環境内に存在し、そのような無線アクセスノードに通信可能に接続されたノードであってもよい。
【０１０１】
ノード６００は、図１に関して上述した無線アクセスノード１２の１つとして動作可能であってよい。ノード６００は、図３に関して上述した方法を実行するのに適しうる。
【０１０２】
ネットワークノード６００は、無線ネットワークと通信するための複数の搬送波とともに構成可能な無線端末機器と通信中であってよく、複数の搬送波は、第１のセルサイトに配置された第１のネットワークノードによって運用される第１の搬送波と、さらに第２の搬送波とを有する。
【０１０３】
ネットワークノード６００は、第２の搬送波が、第１のネットワークノードによって、または第１のセルサイトに配置された第２のネットワークノードによって運用されていることを示す構成情報を、無線端末機器に送信するように構成された第１のモジュール６０２を有する。
【０１０４】
ネットワークノード６００はまた、一般に、１つまたは複数のアンテナおよび、１つまたは複数のアンテナに接続された１つまたは複数のトランシーバモジュールといった、無線信号を送信および受信するための１つまたは複数のモジュールをさらに有しうる。
【０１０５】
したがって、本開示の実施形態は、搬送波が同一のネットワークノードによって、または同じ場所に配置されたネットワークノードによって運用されていることを条件として、無線端末が、１つの搬送波（例えばアンカー搬送波）上の測定結果を、別の搬送波（例えば非アンカー搬送波）上でメッセージを送信するために利用することを可能にする方法および装置を提供する。また、同一のネットワークノードまたは同じ場所に配置されたノードによって運用される２つ以上の搬送波の関連付けが、無線端末にシグナリングされることを可能にする方法および装置が提供される。
【図１】
0006792717.tif 000003
【図２】
0006792717.tif 000004
【図３】
0006792717.tif 000005
【図４】
0006792717.tif 000006
【図５】
0006792717.tif 000007
【図６】
0006792717.tif 000008
【図７】
0006792717.tif 000009